(57)【要約】【課題】中仕切板を特殊な構造とすることなく、一般的な既設のタンクであっても適用可能なタンク中仕切板の破損検知技術を提供する。【解決手段】複数の槽１ａ〜１ｄの各液面レベルを検出するセンサー３ａ〜３ｄと、このセンサーからの液面レベルデータを受信して演算するための演算部５とを設ける。槽に液体が荷卸しされていない場合、演算部が、前記センサーからの液面レベルデータに基づいて、隣接する一方の槽の液面レベルが上昇し、他方の液面レベルが下降し、かつ隣接する槽の各液面レベルが均衡する方向に変化していると判定したときに、中仕切板２ａ〜２ｃが破損していると判定する。槽に液体が荷卸しされている場合、演算部が、荷卸しされている槽及びそれと隣接する槽の各液面レベルが同一となり、かつ隣接する槽どうしの各液面レベルが所定時間以上同一の状態が継続していると判定したときに、中仕切板が破損していると判定する。【選択図】図１
2010260628.tif 000002
【特許請求の範囲】
【請求項１】
タンク内部を中仕切板によって複数の槽に区分し、各槽に液体を貯蔵するタンクにおいて、中仕切板の破損を検知するタンク中仕切板の破損検知方法であって、
槽に液体が荷卸しされているか否かを判定し、
複数の槽のいずれにも液体が荷卸しされていない場合、隣接する一方の槽の液面レベルが上昇し、他方の液面レベルが下降し、かつ隣接する槽の各液面レベルが均衡する方向に変化していることが検出されたときに、中仕切板が破損していると判定し、
複数の槽のいずれかに液体が荷卸しされている場合、荷卸しされている槽及びそれと隣接する槽の各液面レベルが同一となり、かつ隣接する槽どうしの各液面レベルが所定時間以上同一の状態が継続していることが検出されたときに、中仕切板が破損していると判定する、タンク中仕切板の破損検知方法。
【請求項２】
タンク内部を中仕切板によって複数の槽に区分し、各槽に液体を貯蔵するタンクにおいて、中仕切板の破損を検知するタンク中仕切板の破損検知システムであって、
複数の槽のそれぞれの液面レベルを検出するセンサーと、このセンサーからの液面レベルデータを受信して演算する演算部とを備え、
演算部が、槽に液体が荷卸しされているか否かを判定し、
複数の槽のいずれにも液体が荷卸しされていない場合、演算部が、前記センサーからの液面レベルデータに基づいて、隣接する一方の槽の液面レベルが上昇し、他方の液面レベルが下降し、かつ隣接する槽の各液面レベルが均衡する方向に変化していると判定したときに、中仕切板が破損していると判定し、
複数の槽のいずれかに液体が荷卸しされている場合、演算部が、前記センサーからの液面レベルデータに基づいて、荷卸しされている槽及びそれと隣接する槽の各液面レベルが同一となり、かつ隣接する槽どうしの各液面レベルが所定時間以上同一の状態が継続していると判定したときに、中仕切板が破損していると判定する、タンク中仕切板の破損検知システム。
【発明の詳細な説明】
【技術分野】
【０００１】
本発明は、タンク内部を中仕切板によって複数の槽に区分し、各槽に液体を貯蔵するタンクにおいて、中仕切板の破損を検知するタンク中仕切板の破損検知方法、及びそのためのシステムに関する。
【０００２】
なお、本発明において「中仕切板の破損」とは、中仕切板に亀裂や損傷が発生すること、中仕切板が外れること等を総称するものである。
【背景技術】
【０００３】
例えば給油所に設置される地下タンクでは、そのタンク内部を中仕切板によって複数の槽に区分し、各槽に異種の液体を貯蔵するようにしている。
【０００４】
ところが、中仕切板を使用したタンクでは、地震や地盤沈下等の外的要因や経年変化による劣化や腐食などにより、中仕切板に亀裂や損傷が発生、あるいは中仕切板が外れると、隣接する槽間で異種の液体が互いに混合してしまう。とくに給油所においては、例えば灯油などの家庭用燃料とガソリンが混油したままで販売されると、大事故に繋がるおそれがあるため、中仕切板の破損を早期に検知することが望まれている。
【０００５】
従来、中仕切板の破損を検知する手段としては、特許文献１に、中仕切板を二重構造とし、二重構造の中仕切板の空間に漏液を検知するセンサーを設けることが開示されている。
【０００６】
しかし、特許文献１は中仕切板を二重構造にすることが前提であるから、中仕切板が二重構造となっていない既設のタンクには適用できない。また、特許文献１の技術を適用するために中仕切板が二重構造のタンクを設置するには、非常に大きなコスト負担を伴う。
【先行技術文献】
【特許文献】
【０００７】
【特許文献１】特開平６−２６３１８８号公報
【発明の概要】
【発明が解決しようとする課題】
【０００８】
本発明が解決しようとする課題は、中仕切板を特殊な構造とすることなく、一般的な既設のタンクであっても適用可能なタンク中仕切板の破損検知方法及びシステムを提供することにある。
【課題を解決するための手段】
【０００９】
本発明に係るタンク中仕切板の破損検知方法は、タンク内部を中仕切板によって複数の槽に区分し、各槽に液体を貯蔵するタンクにおいて、中仕切板の破損を検知するタンク中仕切板の破損検知方法であって、槽に液体が荷卸しされているか否かを判定し、複数の槽のいずれにも液体が荷卸しされていない場合、隣接する一方の槽の液面レベルが上昇し、他方の液面レベルが下降し、かつ隣接する槽の各液面レベルが均衡する方向に変化していることが検出されたときに、中仕切板が破損していると判定し、複数の槽のいずれかに液体が荷卸しされている場合、荷卸しされている槽及びそれと隣接する槽の各液面レベルが同一となり、かつ隣接する槽どうしの各液面レベルが所定時間以上同一の状態が継続していることが検出されたときに、中仕切板が破損していると判定することを特徴とするものである。
【００１０】
また、本発明に係るタンク中仕切板の破損検知システムは、タンク内部を中仕切板によって複数の槽に区分し、各槽に液体を貯蔵するタンクにおいて、中仕切板の破損を検知するタンク中仕切板の破損検知システムであって、複数の槽のそれぞれの液面レベルを検出するセンサーと、このセンサーからの液面レベルデータを受信して演算する演算部とを備え、演算部が、槽に液体が荷卸しされているか否かを判定し、複数の槽のいずれにも液体が荷卸しされていない場合、演算部が、前記センサーからの液面レベルデータに基づいて、隣接する一方の槽の液面レベルが上昇し、他方の液面レベルが下降し、かつ隣接する槽の各液面レベルが均衡する方向に変化していると判定したときに、中仕切板が破損していると判定し、複数の槽のいずれかに液体が荷卸しされている場合、演算部が、前記センサーからの液面レベルデータに基づいて、荷卸しされている槽及びそれと隣接する槽の各液面レベルが同一となり、かつ隣接する槽どうしの各液面レベルが所定時間以上同一の状態が継続していると判定したときに、中仕切板が破損していると判定することを特徴とするものである。
【発明の効果】
【００１１】
本発明によれば、中仕切板によって区分された各槽の液面レベルを計測するだけで、中仕切板の破損を検知することができる。したがって、既設のタンクにも容易に適用可能である。
【００１２】
また、各槽の液面レベルは、従来より設置されている液面計等のセンサーによって計測できるので、中仕切板の破損を検知するために専用機器を設置する必要はなく、低コストで導入可能である。
【図面の簡単な説明】
【００１３】
【図１】本発明に係るタンク中仕切板の破損検知システムの実施例を示す構成図である。
【図２】本発明の実施例による中仕切板の破損有無の判定手順を示すフロー図である。
【発明を実施するための形態】
【００１４】
以下、図面に示す実施例に基づき本発明の実施の形態を説明する。
【００１５】
図１は、本発明に係るタンク中仕切板の破損検知システムの一実施例を示す構成図である。
【００１６】
図１においてタンク１は、タンク内部に中仕切板２ａ〜２ｃを設けることによって第１槽１ａ〜第４槽１ｄの４つの槽に区分されている。そして、各槽１ａ〜１ｄには、その槽の液面レベルを検出するセンサー３ａ〜３ｄが設置されている。実施例では、センサーとして、高精度に液面レベルを検出可能な磁歪式センサーを使用している。
【００１７】
各センサー３ａ〜３ｄからの液面レベルデータは、まず表示部４に入力される。表示部４は、各槽１ａ〜１ｄの形状に応じて液面レベルデータから液量を算出し、これを表示する。表示部４では、各槽１ａ〜１ｄの液量を液面レベルと共に表示して良いし、液量を算出することなく液面レベルのみを表示するようにしても良い。
【００１８】
なお、これらのセンサー３ａ〜３ｄ及び表示部４は、既設のタンクに通常備えられているので、新規に機器を設置する必要はない。
【００１９】
表示部４には演算部５が接続されている。演算部５はセンサー３ａ〜３ｄからの液面レベルデータを表示部４を介して受信し、これを演算することにより、中仕切板２ａ〜２ｃの破損の有無を判定する。
【００２０】
図２は、演算部５による中仕切板２ａ〜２ｃの破損有無の判定手順を示すフロー図である。
【００２１】
演算部５には、事前にタンク１の第１槽１ａ〜第４槽１ｄの隣接関係を登録しておく。すなわち、（１）第１槽１ａには第２槽１ｂが隣接、（２）第２槽１ｂには第１槽１ａ及び第３槽１ｃが隣接、（３）第３槽１ｃには第２槽１ｂ及び第４槽１ｄが隣接、（４）第４槽１ｄには第３槽１ｃが隣接するという隣接関係を登録する。
【００２２】
演算部５は、まず第１槽１ａ〜第４槽１ｄに液体が荷卸しされているか否かを判定する。実施例では、センサー３ａ〜３ｄからの液面レベルデータに基づき算出される液量の変化が３００Ｌ／分以上の上昇となったときに荷卸しされていると判定し、それ以外は荷卸しされていないと判定する。このほか、荷卸しするときに作業者が演算部５に入力するようにすることで、荷卸しされているか否かを判定することもできる。なお、液面レベルデータからの液量の算出は、実施例では上述のとおり表示部４が行うが、演算部５が行うようにしても良い。
【００２３】
荷卸しされていない場合、演算部５はセンサー３ａ〜３ｄからの液面レベルデータに基づき、第１槽１ａ〜第４槽１ｄに液面レベルの上昇があるか否かを監視する。実施例では演算部５はセンサー３ａ〜３ｄから表示部４を介して３分間隔で液面レベルデータを取り込み記憶するようにしており、現時点の液面レベルが３分前の液面レベルより所定の閾値以上上昇した場合に液面レベルの上昇があると判断する。なお、演算部５が液面レベルデータを取り込む時間間隔は３分間隔に限らず任意で設定可能ある。
【００２４】
荷卸しされていない場合、正常であれば、第１槽１ａ〜第４槽１ｄの液面レベルが上昇することはないので、液面レベルの上昇が確認された場合、中仕切板２ａ〜２ｃの破損の可能性があるものとする。
【００２５】
中仕切板２ａ〜２ｃの破損の有無を正確に判定するため、演算部５は液面レベルの上昇が計測された槽と隣接関係にある槽について、液面レベルが下降しているか否かを確認する。例えば、第２槽１ｂに液面レベルの上昇が確認された場合、第１槽１ａ及び第３槽１ｃの液面レベルの変化を確認し、第１槽１ａに液面レベルの下降が確認されたら、中仕切板２ａの破損の可能性があるものとする。なお、実施例では、現時点の液面レベルが３分前の液面レベルより所定の閾値以上下降した場合に液面レベルの下降があると判断する。
【００２６】
そして、演算部５は、液面レベルの上昇及び下降が確認された隣接関係にある各槽の液面レベルの監視を続け、それらの液面レベルが均衡方向（同一の液面レベルになる方向）に変化しているか否かを確認し、均衡方向への変化が確認されれば、隣接関係にある各槽を区分する中仕切板に破損があると判定する。例えば、第２槽１ｂに液面レベルの上昇が確認され、第１槽１ａに液面レベルの下降が確認された場合、第２槽１ｂ及び第１槽１ａの液面レベルの監視を続け、それらの液面レベルが均衡方向に変化している、すなわち第２槽１ｂの液面レベルが上昇し続けると共に第１槽１ａの液面レベルが下降し続けている場合、中仕切板２ａに破損があると判定する。
【００２７】
なお、液面レベルが均衡方向に変化しているか否かを確認するための判定時間は任意である。例えば、液面レベルが上昇あるいは下降したと判定する上記の閾値が比較的小さい場合、判定の精度を高めるために、判定時間を例えば１５分間とし、その間継続して、つまり３分間隔の液面レベルデータの取り込みにおいて５回連続して液面レベルが均衡方向に変化していると確認された場合に中仕切板に破損があると判定する。一方、上記の閾値が比較的大きい場合、その判定には迅速さが求められるので、１回の液面レベルデータの取り込みにおいて液面レベルが均衡方向に変化していると確認された場合に、直ちに中仕切板に破損があると判定することもできる。なお、液面レベルが上昇あるいは下降したか否かの判定は、液面レベルから算出した液量によって行うこともできる。液面レベルと液量は各槽において一対一の関係にあるので、実質的に同一の物理量である。
【００２８】
演算部５は、中仕切板に破損があると判定した場合、どの中仕切板が破損したかを含む破損の警告を表示し、これを印刷する。
【００２９】
次に、タンク１の第１槽１ａ〜第４槽１ｄのいずれかに荷卸しされている場合について説明する。荷卸しの場合、液体が導入されることで、中仕切板に大きな破損が生じることがある。この場合、破損した中仕切板で区分された隣接する槽の液面レベルは一気に同一になり、同一の状態が継続する。このような中仕切板の大きな破損を迅速に検知するため、本発明では、荷卸し中、タンク１の第１槽１ａ〜第４槽１ｄの液面レベルを監視し、荷卸しされている槽及びそれと隣接関係の槽の各液面レベルが同一となり、かつ隣接する槽の各液面レベルが同一の状態が所定時間（例えば１０分間）以上継続している場合、中仕切板に破損があると判定する。
【符号の説明】
【００３０】
１  タンク
１ａ  第１槽
１ｂ  第２槽
１ｃ  第３槽
１ｄ  第４槽
２ａ〜２ｃ  中仕切板
３ａ〜３ｄ  センサー
４  表示部
５  演算部
【図１】
2010260628.tif 000003
【図２】
2010260628.tif 000004